【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
開閉部材の開閉動作に連動してスイッチを動作させて開閉部材の開閉状態を検出する開閉部材検出装置であって、
前記スイッチを支持するフレームと、前記開閉部材と前記スイッチとの間に配置されるリンクと、前記リンクを付勢する付勢手段と、を備え、
前記リンクは、前記フレームに設けられた第１支持部に支持されて第１支点を構成する第１支点構成部と、前記開閉部材によって押される力点部と、前記フレームに設けられた第２支持部に支持されて第２支点を構成する第２支点構成部と、前記スイッチを押圧するスイッチ操作部と、を有し、
前記フレームは、前記スイッチ操作部の前記スイッチを押圧する方向への移動を規制する規制部を有し、
前記第１支点構成部は、前記第１支持部に対して離隔可能となっており、前記付勢手段は、前記第１支点構成部を前記第１支持部に向けて付勢し、
前記開閉部材によって前記力点部を押された前記リンクは、前記第１支点を支点として、前記スイッチ操作部が前記スイッチを押圧する方向へ移動し、
前記スイッチ操作部の前記スイッチを押圧する方向への移動が前記規制部によって規制された状態で、前記開閉部材によって前記力点部を押された前記リンクは、前記第２支点を支点として、前記付勢手段に抗して前記第１支点構成部を前記第１支持部から離隔させる方向に移動することを特徴とする開閉部材検出装置。
【請求項２】
前記フレームは、前記スイッチを位置決めする位置決め部を備えたことを特徴とする請求項１に記載の開閉部材検出装置。
【請求項３】
前記開閉部材は、前記力点部に当接する押打部を備えることを特徴とする請求項１又は２に記載の開閉部材検出装置。
【請求項４】
前記第２支点構成部は、前記力点部と前記第１支点構成部との間に設けられたことを特徴とする請求項１乃至３のいずれか１項に記載の開閉部材検出装置。
【請求項５】
前記第１支点構成部は長穴を備え、前記第１支持部は前記長穴と係合する第１支点軸によって構成され、前記第１支点軸が前記長穴の前記開閉部材側の端部に当接して前記第１
支点が構成されることを特徴とする請求項４に記載の開閉部材検出装置。
【請求項６】
前記第１支点構成部に設けられる前記長穴は、前記開閉部材側とは逆側が開放されたＵ字溝となっていることを特徴とする請求項５に記載の開閉部材検出装置。
【請求項７】
前記第２支点構成部は前記リンクに設けられた第２支点軸であり、前記フレームに設けられた第２支持部は前記第２支点軸が係合する凹溝を備えた保持部によって構成され、前記凹溝は前記開閉部材側に開いていることを特徴とする請求項４乃至６のいずれか１項に記載の開閉部材検出装置。
【請求項８】
前記スイッチと前記リンクが前記フレームにより形成される隔壁の表裏側に配置されていることを特徴とする請求項７に記載の開閉部材検出装置。
【請求項９】
前記スイッチ操作部は、前記第２支点軸と同軸的に延びる操作軸によって構成され、前記隔壁に設けられた規制長穴を通して前記スイッチ側に突出し、該規制長穴の前記スイッチ側の端部が前記規制部を構成することを特徴とする請求項８に記載の開閉部材検出装置。
【請求項１０】
前記力点部は、前記第１支点構成部と前記第２支点構成部との間に設けられたことを特徴とする請求項１乃至３のいずれか１項に記載の開閉部材検出装置。
【請求項１１】
前記スイッチ操作部が前記規制部によって移動が規制された状態で、前記規制部が前記スイッチ操作部を支持することによって、前記規制部及び前記スイッチ操作部は、それぞれ前記第２支持部及び前記第２支点構成部として、前記第２支点を構成することを特徴とする請求項１０に記載の開閉部材検出装置。
【請求項１２】
前記スイッチは、揺動する位置によってオンとオフとを切り替えるスイッチレバーを有し、
前記スイッチレバーは、前記スイッチ操作部によって押圧されることによって揺動し、前記規制部によって揺動する位置を規制されることを特徴とする請求項１１に記載の開閉部材検出装置。
【請求項１３】
前記開閉部材によって前記力点部を押された前記リンクが、前記第１支点構成部を前記第１支持部から離隔させる方向に移動する時に、
前記リンクが前記規制部側から受ける力をＰａ、
前記力点部からＰａまでの距離をＬａ、
前記リンクが前記付勢手段から受ける力をＰｂ、
前記力点部からＰｂまでの距離をＬｂ
として、関係式
Ｐａ×Ｌａ＜Ｐｂ×Ｌｂ
が成り立つことを特徴とする請求項１１又は１２に記載の開閉部材検出装置。
【請求項１４】
前記第１支点構成部は長穴を備え、前記第１支持部は前記長穴と係合する第１支点軸によって構成され、前記第１支点軸が前記長穴の前記スイッチ側の端部に当接して前記第１支点が構成されることを特徴とする請求項１０乃至１３のいずれか１項に記載の開閉部材検出装置。
【請求項１５】
前記第１支点構成部に設けられた前記長穴は、前記スイッチ側とは逆側が開放されたＵ字溝となっていることを特徴とする請求項１４に記載の開閉部材検出装置。
【請求項１６】
前記リンクは、前記開閉部材の開閉方向と直交する方向に回動する請求項１０乃至１５のいずれか１項に記載の開閉部材検出装置。
【請求項１７】
前記付勢手段は、前記第１支点構成部と前記力点部の間に設けられていることを特徴とする請求項１０乃至１６のいずれか１項に記載の開閉部材検出装置。
【請求項１８】
開閉部材の開閉動作に連動してスイッチを動作させて開閉部材の開閉状態を検出する開閉部材検出装置であって、
前記スイッチを保持するフレームと、前記開閉部材と前記スイッチとの間に配置されるリンクと、前記リンクを付勢する付勢手段と、を備え、
前記リンクは、前記フレームに設けられた第１支持部に支持されて第１支点を構成する第１支点構成部と、前記開閉部材によって押される力点部と、前記第１支点構成部と前記力点部の間に設けられ前記フレームに設けられた第２支持部に支持されて第２支点を構成する第２支点構成部と、前記スイッチを押圧するスイッチ操作部と、を有し、
前記第１支点構成部は、前記第１支持部に対して前記開閉部材側へ離隔可能となっており、前記付勢手段は、前記第１支点構成部を前記第１支持部に向けて付勢し、
前記第２支点構成部の位置には、 前記スイッチ操作部が設けられていることを特徴と
する開閉部材検出装置。
【請求項１９】
開閉部材の開閉動作に連動してスイッチを動作させて開閉部材の開閉状態を検出する開閉部材検出装置であって、
前記スイッチを保持するフレームと、前記開閉部材と前記スイッチとの間に配置されるリンクと、前記リンクを付勢する付勢手段と、を備え、
前記リンクは、前記フレームに設けられた第１支持部に支持されて第１支点を構成する第１支点構成部と、前記スイッチを押圧するスイッチ操作部と、前記第１支点構成部と前記スイッチ操作部の間に設けられ、前記開閉部材によって押される力点部と、を有し、
前記第１支点構成部は、前記第１支持部に対して離隔可能となっており、前記付勢手段は、前記第１支点構成部を前記第１支持部に向けて付勢し、
前記フレームは、前記スイッチ操作部の前記スイッチを押圧する方向への移動を規制する規制部を有することを特徴とする開閉部材検出装置。
【請求項２０】
記録媒体に画像を形成する画像形成部を備えた画像形成装置であって、
前記画像形成部を収容する前記画像形成の装置本体と、
前記装置本体に開閉可能に設けられた開閉部材と、
前記開閉部材の開閉状態を検出する開閉部材検出装置として、請求項１乃至１９のいずれか１項に記載の開閉部材検出装置と、を備えたことを特徴とする画像形成装置。